(57)【要約】  本発明は、蒸気浸透性液体障壁層及び滲出物増粘剤を使用することにより、改善された保護及び快適性を提供する吸収性物品及び合成物に関する。特に、障壁層は、一般に物品が通気性とみなされるが、全ての物品の選択領域が液体に対して障壁性を示すような、障壁層の１箇所以上の領域上への障壁コーティングの堆積から成る。
2007536066.tif 000002
【特許請求の範囲】
【請求項１】
使い捨て吸収性物品であり、
ａ．流体浸透トップシート、
ｂ．液体不透過性外部カバー
ｃ．前記トップシートと外部カバーとの間に配置された吸収性コア、
を含み、前記コアが、第一及び第二領域を含み、並びに、
前記物品が更に、前記トップシートとコア間又は前記コアと外部カバー間のいずれかに配置された障壁層を含み、前記障壁層が、
１）第一領域、
２）前記障壁層の前記第一領域の隣接に配置された第二領域、並びに
３）前記障壁層の前記第一領域の１つ以上の表面上に配置された障壁コーティングであって、前記障壁コーティングが、前記障壁層の第二領域内の流体の流れと比較して、前記障壁層の第一領域内の流体の流れを抑制し、前記障壁層の前記第一領域が、約１００〜約５０，０００ｇｓｍ／日の水蒸気透湿度（WVTR）及び少なくとも約０．０１ｃｆｍの対流性空気透過率を示す、障壁コーティング、並びに
４）前記障壁層の前記第一又は第二領域の１以上の表面上に配置された滲出物増粘剤の有効量を含む、ことを特徴とする使い捨て吸収性物品。
【請求項２】
前記コーティングが、噴霧、浸液、ブラシかけ、コーティング、印刷、細長隙間コーティング及びこれらの組み合わせから成る群から選択される機構を使って、前記バリア層の前記第一領域に付与される、請求項１に記載の物品。
【請求項３】
前記第一領域と前記第二領域との間の水頭値の差が、約１ｍｂａｒよりも大きい、請求項１に記載の物品。
【請求項４】
前記障壁層の前記第一領域が、約６０ｇｓｍ以下の動的流体衝撃値を示す、請求項１に記載の物品。
【請求項５】
前記物品が、更に疎水性表面コーティングと接触する追加の構成要素を含む、請求項１に記載の物品。
【請求項６】
前記障壁層が、約４５ｇｓｍ未満の坪量を有する不織布基材を含む、請求項１に記載の物品。
【請求項７】
前記滲出物増粘剤が、約１ｇｓｍよりも大きい量で存在する、請求項１に記載の物品。
【請求項８】
前記滲出物増粘剤が、キサンタンガム、カルボキシメチルセルロース、粘土、デンプン、アルギン酸塩、及びこれらの組み合わせから成る群から選択される 、請求項１に記載の物品。
【請求項９】
前記物品が、おむつ、トレーニングパンツ、成人用失禁製品、婦人用ケアナプキン、よだれかけ、ケアマット、胸当て、創傷包帯製品、及びこれらの組み合わせから成る群から選択されたパーソナルケア製品である、請求項１に記載の物品。
【請求項１０】
少なくとも１つの障壁層を含む使い捨て合成物であって、前記障壁層が
ａ．第一領域、
ｂ．第二領域、
ｃ．前記障壁層の前記第一領域の１以上の表面上に配置された障壁コーティングであって、前記障壁コーティングが、前記障壁層の第二領域内の流体の流れと比べて、前記障壁層の第一領域内の流体の流れを抑制し、前記障壁層の前記第一領域が、約１００〜約５０，０００ｇｓｍ／ｄａｙの水蒸気透湿度（WVTR）及び少なくとも約０．０１ｃｆｍの対流性空気透過率を示す、障壁コーティング、並びに
ｄ．前記障壁層の前記第一又は第二領域の１以上の表面上に配置される滲出物増粘剤の有効量、
を含む、使い捨て合成物。
【発明の詳細な説明】
【技術分野】
【０００１】
本発明は、吸収性物品及び合成物に関し、それぞれが、１）一般に衝撃又は持続した圧力から生じる水分裏抜けに対する改善された保護、２）改善された湿気制御特性、並びに３）皮膚の健康及び快適さの恩恵のための高対流性蒸気貫流を提供することを補助する障壁層を含む。
【背景技術】
【０００２】
おむつ、失禁用物品、女性用衛生製品、及びトレーニングパンツなどの数多くの周知の吸収性物品は、通常、液体透過性体側ライナー又はトップシートと蒸気透過液体不浸透性バックシートとの間に位置する吸収性コア材料を具える。体側ライナーは、身体の液体が吸収性コアに向けて容易に貫流することを可能にする。吸収性コアは、液体を素早く吸収する。したがって、液体の余分なたまりは、吸収性物品の身体面表面上では起きない。外部カバーは、通常液体不浸透性であるので吸収性物品からの漏れはない。しかしながら、使い捨て吸収性物品は、着用者の体の滲出物及び身体からの発汗と接触後、数時間着用されるので、吸収性コアから逃れる液体蒸気は、吸収性物品と着用者の皮膚との間の空間内に頻繁に捕らえられ、その結果、吸蔵領域の相対湿度が増加する。当該技術分野において既知のように、増加した相対湿度は、不快感、及び皮膚健康問題、特に発疹及び他の接触皮膚炎になりやすい過水和皮膚をもたらす。
【０００３】
そのようなバックシートは、吸収材料から着用者の外部衣類への体の流体（尿、経血又は糞便物）の漏れを防ぐのに好適である。残念ながら、そのような不浸透性バックシートの使用は、吸収性物品が使用される時に吸収性物品内が高度の湿度になる可能性があり、比較的上昇した皮膚水和水準が起こり得る。
【０００４】
この問題を直す試みには、空気及び水蒸気拡散を許容するバックシート材料として、ミクロ孔質又はモノリシックフィルムを使用することが含まれた。他には、吸収性コアを開口すること、又はコア内に、コア内の他の部分よりも、実質的に高吸収性材料を少ししか含まない部分を作製することなどにより、高浸透性領域を吸収性コア内に組み込むことが試されてきた。
【０００５】
これらの技術に依存する吸収性物品は、依然として、物品が液体を取り込んだ時に着用者の皮膚と物品との間にかなり増加した相対湿度を示す傾向にあった。
【０００６】
液体を取り込んだ又は湿気のある吸収性物品に影響を与える注目すべき事象は、座ること、歩行すること、体を曲げること、倒れることなどの、着用者の動きによる任意の圧力又は衝撃力である。
【０００７】
既知の吸収性物品は、更に、吸収能力まで取り込んだ時、特に前記取り込んだ吸収性物品が着用者の動きで圧力又は衝撃下になる場合、液体を保持し損なう傾向にある。対流性上記流量は、湿気を帯びた吸収性物品コアがある場合、拡散蒸気流量よりも更により有効であることが出願者により観察された。
【発明の開示】
【発明が解決しようとする課題】
【０００８】
結果として、利益の組み合わせを着用者に供給する吸収性物品の必要性がある。これらの利益は、改善された液体衝撃容量、通気性（即ち、対流を経由した空気蒸気流量）、水蒸気透過性（即ち、拡散を通した）及び衝撃又は継続圧力下での漏れへの抵抗性を含むべきである。
【課題を解決するための手段】
【０００９】
本発明は、以下を含む使い捨て吸収性物品に関し、
ａ．液体浸透トップシート、
ｂ．液体不透過性外部カバー、
ｃ．前記トップシート外部カバーとの間に配置された吸収性コアであって、前記コアが第一及び第二領域を含み、並びに、
ｄ．前記トップシートとコアとの間又は前記コアと外部カバーとの間のいずれかに配置された障壁層であって、前記障壁層が、
１）第一領域、
２）前記障壁層の前記第一領域の隣接に配置された配置された第二領域、並びに
３）前記障壁層の前記第一領域の１つ以上の表面上に配置された障壁コーティングであって、前記障壁コーティングが、前記障壁層の第二領域内の液体の流れと比較して、前記障壁層の第一領域内の液体の流れを制御し、前記障壁層の前記第一領域が、約１００〜約５０，０００ｇｓｍ／日の水蒸気透湿度（ＷＶＴＲ）及び少なくとも約０．０１ｃｆｍの対流性空気透過率を示す、障壁コーティング、並びに
４）前記障壁層の前記第一又は第二領域の１以上の表面上に配置された滲出物増粘剤の有効量を含む。
【発明を実施するための最良の形態】
【００１０】
定義
本明細書で使用する時、用語「吸収性物品」は、体の滲出物を吸収して含有するデバイスを言い、更に具体的には、体から排泄される様々な滲出物を吸収し含有するために、着用者に対して又は近接して設置されるデバイスを言う。吸収性物品は、おむつ、トレーニングパンツ、成人失禁用下着、女性用衛生製品、ブレストパッド、ケアマット、よだれかけ、創傷包帯製品などを含む。本明細書で使用する時、用語「体液」又は「体の滲出物」は、限定はされないが、尿、血、膣滲出物、母乳、汗及び糞便物を含む。
【００１１】
本明細書で使用する時、用語「吸収性コア」は主に、体液を収集し、移送し、分配し、及び貯蔵することを含む物品の流体処理特性を担う吸収性物品の構成要素を言う。そのようなものとして、吸収性コアは、通常吸収性物品のトップシート、バックシート又は外部カバーを含まない。
【００１２】
本明細書で使用する時、用語「固着された」は、異なる材料が少なくともそれらの一部の中で（凝集して又は接着して）密着されたことを言う。密着された部分は、無作為であってもよいし、又は縞模様、螺旋、ドットなどのような模様を有してもよい。密着された部分は、周囲に、表面積に渡って、又は双方に位置することができる。当該技術分野において既知の好適な取り付け手段を使用することができ、限定はされないが、接着剤、熱、圧力、けん縮、超音波、化学（水素結合又は他の凝集力を経由して）、機械（例えば、ファスナ、もつれ）、水圧、真空及びそれらの組み合わせを含む。
【００１３】
本明細書で使用する時、用語「合成物構造」は、多領域構造を言い、領域を含む材料を、動作可能なように結合又は接着できる。領域は、更に合成物が単一構造を有するような親和性接触であり得る。更に、領域を層化（向かい合わせ）配列、又は横付け配列で配置できる。
【００１４】
本明細書で使用する時、用語「使い捨て」は、配置され、異なる時間長にわたって有限回の使用事象、好ましくは約２０事象未満、より好ましくは約１０事象未満、更により好ましくは約５事象未満、及び最も好ましくは約２回事象後、捨てられる物品を意味するために、普通の意味で使用される。
【００１５】
本明細書で使用する時、用語「接合した」は、要素が直接他の要素に貼り付けられることで直接他の要素に留められる構造、及び要素が次に他の要素と貼り付けられる中間体部材に貼り付けることで間接的に他の要素に留められる構造を包含する。
【００１６】
用語「マクロ孔質」は、流体の毛管移送を実行するにはあまりにも大きい孔を有する、一般に直径約０．５ｍｍ超過の孔を有する、より特定して直径約１．０ｍｍ超過の孔を有する材料を言う。
【００１７】
本明細書で使用する時、用語「メルトブロウン」及び「メルトブロウン・ウェブ」は、溶融熱可塑性材料を、溶融糸又はフィラメントとして、複数個の細かい、通常は円状のダイ毛管を通して、直径を縮小するために溶融フィラメントを減衰させる収束高速加熱ガス／空気流速内に押し出すことで、形成される繊維を有するウェブを言う。繊維直径の縮小は、実質的にスパンボンディングプロセスにおける繊維直径の縮小より大きく、０．２ミクロンよりも大きい、及び通常０．６〜１０ミクロンの範囲の平均繊維直径を有するマイクロ繊維となる。故に、メルトブロー繊維は、高速ガス流速により搬送され、無作為に払われた（disbursed）繊維のウェブを形成するために、収集表面上に堆積される。様々なメルトブロウンプロセスは、当該技術分野において既知である。
【００１８】
本明細書で使用する時、用語「ミクロ孔質」は、ねじれた経路を有する比較的小さな穴を通して流体を移送可能な材料を言う。
【００１９】
本明細書で使用する時、用語「不織布」及び「不織布ウェブ」は、マトリックスを形成するために交互にはめ込まれるが同定可能な反復方式ではない、個々の繊維の構造を有するウェブを言う。不織布ウェブは、当該技術分野における当業者に周知の様々なプロセス、例えばメルトブロウン、スパンボンディング、ウェットレイイング、エアレイイング、及び様々な結合カーディングプロセスにより形成され得る。
【００２０】
本明細書で使用する時、用語「動作可能なように関連した」は、少なくとも使用中それぞれに部分的に接触して配置される異なる材料を含む構造を言う。材料は物理的に分離可能であり、各部は個々に測定できる特性を示す。材料は、ｚ軸に向かい合わせの関係で、又はｘｙ軸に横付けの関係で配置され得る。
【００２１】
本明細書で使用する時、用語「パルプ」又は「セルロース繊維」は、木又は植物（例えば、広葉樹材繊維、針葉樹繊維、麻布、綿花、亜麻、エスパルト草、ミルクウィード（milkweed）、わら、バガスなど）、それらの加工／再生繊維（例えば、レーヨン（登録商標））又は化学的に誘導体化された繊維（例えば、セルロースエステル）、それらの組み合わせから誘導されるそれらの天然繊維を含む。好適な広葉樹材繊維は、ユーカリ繊維を含む。好適な広葉樹材繊維を、クラフト又は他の化学的パルプ方法により準備できる。好適な針葉樹繊維は、南針葉樹（ＳＳ）繊維及び北針葉樹（ＮＳ）繊維を含む。本明細書に用いる針葉樹繊維を、化学的に（例えば、制限なく、クラフトパルプ）又は機械的に（例えば、制限なく、化学熱的機械的パルプ（ＣＴＭＰ）及び熱的機械的パルプ（ＴＭＰ））パルプ化できる。
【００２２】
本明細書で使用する時、用語「領域」は、物理的、化学的、又は視覚的に周囲の又は隣接の材料と区別できる材料を含む区域又は面積を言う。材料の様々な領域は、その間に遷移領域を含むことができる。領域は、ｚ次元内に又はｘｙ次元内に位置できる。本明細書で使用する時、用語「ｚ次元」は、構造又は物品の長さと幅に直交する次元を言う。Ｚ次元は、大抵、構造又は物品の厚さに対応する。本明細書で使用する時、用語「ｘｙ次元」は、部材、コア、又は物品が平展開（flat-out）状の時、部材、コア、又は物品の厚さに直交する平面を言う。ｘｙ次元は、大抵、平展開（flat-out）状の構造又は物品のそれぞれ長さ及び幅に対応する。
【００２３】
本明細書で使用する時、用語「スパンボンド」及び「スパンボンドされているウェブ」は、円状又は他の構造を有する紡糸口金の複数個の細かい毛管からフィラメントとしての溶融熱可塑性材料を押し出し、次に流体絞り加工又は他の周知のスパンボンディング機構により素早く押し出されたフィラメントの直径を縮小することにより、形成される繊維を有するウェブを言う。スパンボンド繊維は収集面に沈着する時冷却され、概して粘着性はない。スパンボンド繊維は、一般に連続的であり、大抵約１０〜約３０ミクロンの平均を有する。
【００２４】
本明細書で使用する時、用語「単一構造」は、材料が実質的に物理的に分離できず、単一構造が前記材料の組み合わせに由来する特性を示すような、構成全体を形成するために、互いに接合される異なった特性を有する材料を含む構造を言う。材料を、ｚ次元に向かい合わせの関係に、又はｘｙ次元に横付けの関係に配置できる。
【００２５】
次の詳細な説明は、吸収性物品に向けられる。しかしながら、本明細書で議論される総概念を、同様に包帯、包帯剤、拭き取り用品、よだれかけ、外科用布、外科用ガウンなどのような他の衛生又は健康ケア製品の使用に応用できるように、物品は変更可能であり得る。
【００２６】
吸収性物品構成要素
図１は、本発明の特定の吸収性物品の部分的に裂けた平面図である。この物品は、本発明の障壁層１０及び滲出物増粘剤１１を含む、おむつ２０である。おむつ２０は、おむつ２０の構造を更に明確に示すために切り取られた構造の一部を伴う平展開状態である。おむつ２０の衣類に面する表面は、見る人から離れて向いている。
【００２７】
図１に示されるように、おむつ２０は、液体透過性トップシート２４、少なくともトップシート２４の一部と外部カバー２４との間に位置する吸収性コア２８、吸収性コア２８と外部カバー２２との間に位置する障壁層１０、サイドパネル３０、弾性脚部カフ３２、弾性的ウエスト構造部３４、及び締着装置４０を含む。
【００２８】
おむつ２０は、前側腰部区域３６、前側腰部区域３６とは反対の背部腰部区域３８及び前側と後側腰部区域との間に位置する股領域３７を有するように、図１に示される。おむつ２０の周囲は、長手方向縁部５０がおむつ２０の長手方向中心線１００及びおむつ２０の平面方向中心線１１０にほぼ平行な長手方向縁部５０の間の末端部５２にほぼ平行に走る、おむつ２０の外部縁部により定義される。
【００２９】
おむつ２０の本体は、少なくとも吸収性コア２８及びトップシート２４を含む。外部カバー２２は、上に他のおむつ２０の構成要素がおむつの単一構造を形成するために加えられる、シャーシを形成する。
【００３０】
図１は、トップシート２４が、吸収性コア２８及び障壁層１０のそれらよりも一般に小さくない長さと幅寸法を有する、おむつ２０の実施形態を示す。トップシート２４は、おむつ２０の周囲まで延びてもよい。他の実施形態において、障壁層１０は、吸収性コア２８の縁部を越えておむつ２０の周囲又は縁部へ延びてもよい。
【００３１】
おむつ２０の構成要素は、様々な周知の構成から組立てられ得るが、好ましいおむつ構成は、米国特許第３８６０００３号、同５１５１０９２号、同５２２１２７４号、同５５５４１４５号、同５５６９２３４号、同５５８０４１１号、及び同６００４３０６号に一般に記載されている。
【００３２】
代替の実施形態において物品は、パンツを作製するために、製造者によって前もって形付可能である。用語「パンツ」は、本明細書で使用する時、幼児又は成人着用者のために設計された腰部開口部及び足開口部を有する使い捨て衣類を言う。パンツは、着用者の足を足開口部に挿入してパンツを着用者の低胴体付近部分に滑り込ませることによって着用者上の適所に配置され得る。パンツは、締め直し可能な及び／又は締め直し不可能な帯（例えば、シーム、溶接、接着剤、凝集接合、ファスナ、など）を使用する物品の相互接合部分を使用するが、それらに限定されないいかなる好適な技術によってもあらかじめ形付可能である。用語「パンツ」が本明細書で使用されるが、パンツは、一般に「クローズおむつ（closed diepers）」、「あらかじめ締められたおむつ（prefastened diapers）」、「プルオンおむつ」、「トレーニングパンツ」及び「おむつパンツ」としても言及される。好適なパンツは、米国特許第５２４６４３３号、同５５６９２３４号、同６１２０４８７号、同６１２０４８９号、同４９４０４６４号、同５０９２８６１号、同５８９７５４５号、同５９５７９０８号、及び米国特許公報２００３／０２３３０８２Ａ１に開示される。
【００３３】
トップシート
トップシートは、順応性があり（compliant）、柔らかい感触であり、着用者の皮膚に刺激を与えない。トップシート材料は、一方向又は二方向に弾性的に伸縮性でもあり得る。更に、トップシートは、流体（例えば、尿、経血、他の体液）が常時トップシートの厚さを貫通することを許容する流体透過性である。好適なトップシートは、布及び不織布材、孔あき又はハイドロフォーミングされた熱可塑性フィルム、多孔質発泡体、網状発泡体、網状熱可塑性フィルム、並びに熱可塑性スクリムのような幅広い材料から製造可能である。好適な布及び不織布材は、木又は綿繊維のような天然繊維、ポリエステル、ポリプロピレン、又はポリエチレン繊維のような合成繊維又はそれらの組み合わせから構成されてもよい。トップシートが繊維を含む場合、繊維を、スパンボンド、カード、湿式、メルトブロウン、水流交絡、ないしは、当該技術分野において既知であるような、他の方法で処理できる。ステープル長ポリプロピレン繊維のウェブを含む一つの好適なトップシートが、テネシー州オールド・ヒッコリー（Old Hickory）のＢ．Ｂ．Ａ．ノンウォーブンズ（BBA Nonwovens）により製造され、表記Ｐ−８で入手可能である。
【００３４】
本発明で使用する好ましいトップシートは、嵩高不織布トップシート及び孔あきフィルムトップシートから選択される。孔あきフィルムトップシートは、排泄物に対して透過性であるが、非吸収性であり、流体が逆通過して着用者の皮膚を再湿潤させることを削減する傾向を有する。好適な孔あきフィルムは、米国特許第５，６２８，０９７号、米国特許第５，９１６，６６１号、ＷＯ００／６９３８２Ａ２、米国特許第６５４５１９７号、及び米国特許第６１０７５３９号に記載されたものを含む。
【００３５】
更に、固体排泄物を上に堆積するための好適なトップシート材料は、物品の糞便付着領域と整列する少なくとも一部分にある開口を有する不織布を含むことができる。好適な孔あき不織布は、米国特許第６４１４２１５号、同５３４２３３８号、及び同５９４１８６４号、及び米国特許公報２００２／０１７３７６により詳細に記載される。糞便取り扱い物品の他の実施形態において、上記の特許書類に更に記載される、例えばそのようなトップシートの下に置かれる糞便取り扱い部材とそのようなトップシートを組み合わせることができる。
【００３６】
好適な形成フィルムトップシートが、米国特許第３，９２９，１３５号、同４，３２４，２４６号、同４，３４２，３１４号、同４，４６３，０４５号、同５，００６，３９４号に記載される。他の好適なトップシートを、米国特許第４，６０９，５１８号、及び同４，６２９，６４３号に従い作製できる。そのような形成フィルムは、「ドライ・ウィーブ（DRI-WEAVE）」及び「ＣＬＩＦＦ−Ｔ」として入手可能であり、バーモント州リッチモンドにあるにあるトレデガー社（Tredegar Corporation）から入手可能である。
【００３７】
好ましくは、トップシート２４の少なくとも一部が、疎水性材料から作られる、又は着用者の皮膚を吸収性コア２８に含まれる液体から離すために疎水性に処理される。トップシート２４が疎水性材料から成る場合、好ましくは、少なくともトップシート２４の上面の一部が、液体がトップシートへより早く移送されるように、親水性に処理される。トップシート２４を、それを界面活性剤で処理することにより、又は界面活性剤をトップシートに組み込むことにより、親水性にできる。トップシート２４を界面活性剤で処理するための好適な方法は、トップシート２４材料を界面活性剤で噴霧すること及び／又は材料を界面活性剤で浸漬することを含む。そのような処理及び親水性のより詳細な議論は、米国特許第４９８８３４４号、同４９８８３４５号、及び同４９５０２５４号に含まれる。界面活性剤をトップシート２４に組み込むためのいくつかの好適な方法のより詳細な議論が、アジズら（Aziz et al）の名で１９９７年７月１日に発行された米国法令発明登録番号第Ｈ１６７０で見出される。あるいは、トップシート２４は、孔あきウェブ又は疎水性であるフィルムを含むことができる。これを、製造工程から親水性化処置工程を除くことで、及び／又は、下に記載のＳＣＯＴＳＨＧＵＡＲＤのようなポリテトラフルオロエチレン化合物又は疎水性ローション組成物のような、疎水性処理をトップシート２４に付与することで、実現できる。そのような実施形態において、開口は、尿のような水性流体の浸透を著しい抵抗性なく許容するために十分に大きいことが好ましい。
【００３８】
トップシート２４のいずれかの部分を、当該技術分野で既知のローションでコーティングしてもよい。好適なローションの例は、米国特許第５６０７７６０号、第５６０９５８７号、第５６３５１９１号、第５６４３５８８号、及び第５９６８０２５号に記載されるものを含む。ローションは、単一で又は上記の疎水化処理のような他の剤との組み合わせで機能し得る。トップシートは、抗菌剤も含む、又は抗菌剤で処理されてもよく、いくつかの例は、ＰＣＴ公報番号ＷＯ９５／２４１７３に開示される。更に、トップシート、外部カバー又はトップシートのあらゆる部分を、より布に近い外見を提供するためにエンボス及び／又はマット仕上げしてもよい。
【００３９】
トップシートは、尿及び／又は糞便（固体、半固体、又は液体）などの滲出物の浸透を緩和するために、１以上の開口を含むことができる。少なくとも主開口の寸法は、所望の廃物封入効率を実現するために重要である。廃物は、主開口が非常に小さい場合に、廃物源と開口位置の悪い配列、又は開口よりも大きな直径を有する糞便の質量のどちらか一方が原因で、開口を通過できない。開口が非常に大きい場合、「再湿潤」（物品からの）により汚染された皮膚の領域が増加する。通常、開口は、約１０ｃｍ２〜約５０ｃｍ２の領域を有するべきである。開口は、好ましくは、約１５ｃｍ２〜３５ｃｍ２の領域を有する。
【００４０】
更に、トップシートは、全体で又は部分的に伸縮されてもよいし、又はトップシートとコアとの間に空隙空間を提供するために短縮されてもよい。伸縮化又は短縮化トップシートを含む代表的な構造は、より詳細に米国特許第４８９２５３６号、同４９９０１４７号、同５０３７４１６号、及び同５２６９７７５号に記述される。
【００４１】
吸収性コア
吸収性コアは、おむつに適合するいかなる寸法又は形状を採用してもよい。おむつの一つの好ましい実施形態は、第一腰部区域に耳を有するが、第二腰部区域では概ね長方形形状をなす、非対称改質化Ｔ形状吸収性コアを有する。幅広い受け入れ、及び市場での成功を実現した本発明の吸収性コアで使用される代表的な吸収構造は、米国特許第４６１０６７８号、同４６７３４０２号、同４８８８２３１号、同４８３４７３５号、同５１３７５３７号、同５１４７３４５号、同５３４２３３８号、同５２６０３４５号、同５３８７２０７号、同５２３４４２３号、及び同５６２５２２２号に記載される。
【００４２】
吸収性コアは、一般に、大抵「ヒドロゲル」、「超吸収体」、「ヒドロコロイド」材料と称される吸収性ゲル材料を包含する吸収材料を含む。吸収性ゲル材料は、体液のような水性流体と接触し、そのような流体を吸収し、ヒドロゲルを形成する材料である。これら吸収性ゲル材料は、一般に大量の水性体液を吸収可能であり、更に適度の圧力下においてそのような吸収された流体を保持可能である。これらの吸収性ゲル材料は、一般に分離性非繊維粒子の形状である。繊維、発泡体、シート、ストリップ、又は他の巨大構造のような他の形状は、本明細書に用いるのにもまた好適である。連続気泡発泡体形状の好適な吸収性ゲル材料は、米国特許第３５６３２４３号、同４５５４２９７号、同４７４０５２０号、及び同５２６０３４５号に開示されたものを含むことができる。
【００４３】
本明細書に用いるのに好適な吸収性ゲル材料は、実質的に非水溶性、僅かに架橋した、部分的に中和された、ポリマーゲル化材料を含むことができる。この材料は水に接触するとヒドロゲルを形成する。好適な吸収性ゲル材料は、米国特許第４６５４０３９号、同５５６２６４６号、同５５９９３３５号、及び同５６６９８９４号に開示されたものを含む。
【００４４】
そのような吸収性ゲル材料は、毛羽パルプ及び／又は合成繊維（本明細書に記載されているように）との均質混合で配列されることができる、又はティッシュのような多孔質材料の適切に開口した浸透性層間で、特にこれらがエアレイド、又は不織布材である場合に層化される。
【００４５】
超吸収体／毛羽混合物の、約５０重量％の超吸収体の濃度で、好ましくは約８０重量％及び更に好ましくは約９０重量％よりも大きい濃度で、通常の毛羽パルプとの均質混合で配列される時、特に好適な材料は、米国特許第５５９９３３５号の超吸収体材料である。好適な混合物は、更に約０．１ｇ／ｃｍ３〜約０．３ｃｍ３の、好ましくは約０．１５ｃｍ３〜約０．２ｃｍ３の密度を示すことができる。
【００４６】
特定の実施形態においてそのような混合物は、特に乾燥状態における混合物の一体性を強める手段を含むことができる故に、混合物又は熱結合可能な合成繊維のような他の結合剤に低量の接着剤を加えることができる。
【００４７】
コア内の液体貯蔵要素に加えて、コアは、流体獲得又は分配を強調することを目的とするような、他の液体取り扱い部材を含むことができる。
【００４８】
コアへの含有のための好適な支持材料は、毛羽、ティッシュ又は紙の形状のセルロース繊維を含む。修飾されたセルロース繊維（例えば、剛化された、化学的に処理された、架橋された）も使用できる。合成繊維を使用してもよい。好適な合成繊維を、酢酸セルロース、フッ化ポリビニル、ポリ塩化ビニリデン、アクリル（acrylics）（オーロン（登録商標）のような）、ポリビニルアセテート、非可溶性ポリビニルアルコール、ポリエチレン、ポリプロピレン、ポリアミド（ナイロン（登録商標）のような）、ポリエステル、それらの２成分又は３成分繊維、及びこれらの材料の混合物から構成されてもよい。好ましくは、繊維表面は、親水性である、又は親水性に処理される。
【００４９】
一般に、コアは、支持材料内で分散した約１５％〜約１００質量％の吸収性ゲル材料を含む。好ましくは、コアは、約３０重量％〜約９５％重量％の、より好ましくは約６０重量％〜約９０重量％の吸収性ゲル材料を含む。支持材料は、一般に、約０重量％〜約８５重量％の、好ましくは約５〜約７９重量％の、及びより好ましくは約１０重量％〜約４０重量％の貯蔵層を含む。
【００５０】
本発明のある実施形態において、吸収性物品は、トップシートと外部カバーとの間に配置されたサブ層も含むことができる。サブ層は、排泄物を受け取り、貯蔵し、固定化することを可能にするいずれの材料又は構造でもあり得る。故に、サブ層は、単一材料又は動作可能なように互いに結びつく数多くの材料を含むことができる。更に、サブ層は、吸収性物品の他の要素と構成可能である、又は物品の１以上の要素と直接又は間接的に接合された１以上の分離要素であり得る。更に、サブ層は、コアと分離される構造を含むことができる、又は少なくともコアの部分を含むことができる、又はその部分であり得る。
【００５１】
サブ層として使用される好適な材料は、大気泡開口発泡体、マクロ孔質圧縮抵抗性不織布嵩高、開口及び閉塞気泡発泡体（マクロ及び／又はミクロ孔質）の大寸法粒子状気泡、嵩高不織布、ポリオレフィン、ポリスチレン、ポリウレタン発泡体又は粒子、繊維の多数の垂直に向いた閉ストランドを含む構造、開けられた孔又は凹型を有する上に記載された吸収性コア構造などを含むことができる。サブ層の一実施形態は、約１．５ミリメートルの非圧縮厚みを有し、ＸＰＬ―７１２４としてミネソタ州ミネアポリスの３Ｍ社から入手可能な、機械的に締めるループランディング要素を含む。他の実施形態は、ジョージア州レンズ（Wrens）のグリット社（Glit Company）から入手可能な、平方メートル当たり１１０グラムの坪量及び７．９ミリメートルの非圧縮厚みを有する、６デニール織縮及び樹脂結合した不織布嵩高を含む。他の好適な吸収及び非吸収サブ層が、米国特許第６６８０４２２号及び同５９４１８６４号に記載される。更に、サブ層又はそれらのいずれかの部分は、要素の効率若しくは他の特性を加える、強める、又は機能を変化させるために、ローション若しくは他の周知の物質を含んでもよいし、又はそれらでコーティングされてもよい。
【００５２】
外部カバー
用語「外部カバー」は、本明細書で使用する時、吸収性物品の衣類に面する表面上に位置する構造的要素を意味する。外部カバーは一般に、おむつの他の構成要素が上に加えられる、シャーシを形成する。しかしながら外部カバーは、吸収性物品の衣類側上のコーティング層であり得る。
【００５３】
外部カバーのための好適な材料は、障壁層及び吸収性コアのための構造的支持体を吸収性コアに与えるだけでなく、肌着のような適合性特性を吸収性物品に与える不織布ウェブを提供すべきである。外部カバーは、吸収性物品へのガス又は蒸気移送に対する効率制限要素であるべきではない。好ましくは、外部カバーは、対流空気又はガス浸透性を許容するために比較的開かれた構造を有する。好適な外部カバーは、一般に少なくとも約５０００ｇｓｍ／日の、更に好ましくは約１５，０００ｇｓｍ／日の、及び最も好ましくは少なくとも約３０，０００ｇｓｍ／日の水蒸気透湿度（ＷＶＴＲ）を有する。加えて、外部カバーは、材料特性、又は表面を織る若しくはエンボス加工することのどちらか一方により、又は双方によって、柔軟で快適な感触を皮膚に提供する。
【００５４】
外部カバーは、均質若しくは多構成要素材料の単一層、又は材料の多層構造の合成物であり得る。本明細書に用いるのに好適な外部カバーは、孔あきフィルム（例えば、複数個の成形された開口部又は角度のある毛管を有する）、編まれたウェブ、多孔質織布若しくは不織布ウェブ、発泡体のような多孔質材料又はそれらの組み合わせ若しくはラミネートを含む。一実施形態において、外部カバーは、不織布ウェブ、又はスパンボンド不織布（ＳＢ）、スパンボンド／メルトブロウン不織布（ＳＢ／ＭＢ）、スパンボンド／メルトブロウン／スパンボンド（ＳＢＳ）不織布のような多層化不織布を含む。
【００５５】
ある実施形態において、外部カバーは、約０．０１２ｍｍ（０．５ｍｉｌ）〜約０．０５１ｍｍ（２．０ｍｉｌｓ）の厚さを有する熱可塑性フィルムのような有孔な薄いプラスチックフィルムから作られるバックシートを含むことができる。好適なバックシートフィルムは、バージニア州リッチモンドにあるトレデガー社（Tredegar Corporation）により製造され、商標名ＣＰＣ２フィルムで販売されるものを含む。他の好適なバックシート材料は、蒸気が吸収性物品から逃れるのを可能にしながらも、滲出物がバックシートを通過してしまうのを妨げる通気性材料を含み得る。いくつかの通気性複合材料は、より詳細に米国特許第５９３８６４８号、同５８６５８２３号、及び同５７７１０９６号に記載される。
【００５６】
外部カバー又はそれらの任意の部分は、１以上の方向に弾性的延伸性であり得る。一実施形態において、外部カバーは、構造化ゴム様フィルム（「ＳＥＬＦ」）ウェブを含み得る。ＳＥＬＦウェブは、追加の弾性材料を使用することなく伸長方向にゴム様挙動を示す伸張可能な材料であり、より詳細に米国特許第５５１８８０１号に記載される。代替の実施形態において、外部カバーは、エラストマー構成要素（フィルム、発泡体、ストランド、又はそれらの組み合わせのような）を不織布又は合成フィルムと組み合わせることができる。
【００５７】
代替の実施形態において、外部カバーは、液体不透性の所要水準を提供するために作製された不織布ウェブであり得る。例えば、スパンボンドされている又はメルトブローポリマー繊維の不織布ウェブを、少なくとも部分的に疎水性コーティングで処理できる。フッ素炭化物を使用した代表的な処理は、米国特許第５８７６７５３号、同５８８８５９１号、同６０４５８７７号、及び米国特許出願シリアル番号９９／２０５０４に記載される。
【００５８】
吸収性物品は、少なくとも部分的に障壁層で吸収性コアと分離され、好ましくは当該技術分野において周知のもののような取り付け手段により障壁層及び／又は吸収性コアと接合される外部カバーを含むことができる。
【００５９】
外部カバーを、当該技術分野において既知のいずれかの取り付け手段により、障壁層、トップシート、吸収性コア、又は吸収性物品のいずれかの他の要素に締め付けることができる。例えば、取り付け手段としては、均質な連続層の接着剤、模様付き層の接着剤、又は分離した線、渦巻き、若しくは点の配列の接着剤が挙げられる。１つの好ましい取り付け手段は、米国特許第４５７３９８６号に開示されたように、接着剤のフィラメントの開放パターン網状組織を含む。他の好適な取り付け手段は、米国特許第３９１１１７３号、同４７８５９９６号、及び同４８４２６６６号に示される装置及び方法により示されるように、螺旋模様内に渦巻く接着剤フィラメントのいくつかの線を含む。満足のいくものであることが判明した接着剤は、ミネソタ州セントポールのＨ．Ｂ．フラー社（H.B. Fuller Company）によって製造され、ＨＬ−１２５８として市販されている。あるいは、取り付け手段は、熱接着、圧力接着、超音波接着、動的機械的接着、若しくは他のいずれかの好適な取り付け手段又は当該技術分野で既知のようにこれら取り付け手段の組み合わせを含んでもよい。
【００６０】
外部カバー材料は、吸収性物品の対流性空気透過率を著しく低くすべきではない。更に重要なことに、障壁層の組み合わせ及び外部カバー（以下、「組み合わせ構造」又は「組み合わせ」と呼ばれる）は、障壁特性及び対流空気透過性を含む、しかしそれらに限定されない特性の好ましい均衡を提供する。
【００６１】
障壁層
本発明の吸収性物品は、通気性特性を維持する一方で、衝撃又は連続加圧上での液体又は水分が通り抜けることに対して改善された障壁機能を提供する。この利益は、吸収性物品内に障壁層を含むことによりもたらされる。この障壁層は、障壁コーティングが上に配置される第一領域及び実質的に障壁コーティングが上に配置されない第二領域を含む。障壁コーティングは、この障壁層の第一領域が、約１００〜約５０，０００ｇｓｍ／日の水蒸気透湿度（ＷＶＴＲ）及び少なくとも約０．０１ｃｆｍの対流性空気透過率を示すように、障壁層の第二領域内の流体の流れと比べて障壁層の第一領域内の液体及び／又は水蒸気の流れを抑制する。障壁層は、その障壁層の第二領域と比べて、部分的に吸蔵された（又はコーティングされた）第一領域を通過可能である実際の液体の量を最小化しながら、対流性空気又は全合成物構造を通る水蒸気移送を許容する。特に、現に請求された吸収性の吸収性物品及び／又は合成物のこの層は、湿潤通過に対する障壁保護を犠牲にすることなく、望ましい対流性空気流容量を実現する。故に、障壁層含有吸収性物品は、吸収性物品と着用者との間の空間内の相対湿度の有効な削減を示し、故に、皮膚健康及び着用者への快適さを改善及び／又は維持する。
【００６２】
障壁コーティングを、ディッピング、ブラッシング、コーティング、プリンティング、スロット−コーティング、パウダー−コーティング、及びそれらの組み合わせを含むがそれらに限定されない様々な方法で、第一領域に付与することができる。しかしながら好ましくは、障壁コーティングは、ディッピング、ブラッシング、コーティング、プリンティング、スロット−コーティング、パウダー−コーティング、及びそれらの組み合わせから成る群から選択される手段を通して付与される。
【００６３】
本発明のコーティングされた第一領域は、少なくとも約０．０１ｃｆｍ、好ましくは少なくとも約０．０５ｃｆｍ及び最も好ましくは少なくとも約０．１ｃｆｍの対流性空気透過率を有するために作られる。対流性空気透過性は、吸収性物品の内部から水蒸気を取り除くことに特に有効であり、皮膚の隣の局所環境内が低湿度になり、皮膚炎症又は発疹の発生を削減し、皮膚健康を促進する。一方で、コーティングされていない第二領域は、約０．１ｃｆｍよりも大きい、好ましくは約１ｃｆｍよりも大きい、及び最も好ましくは約１０ｃｆｍよりも大きい対流性空気透過率を示すために作られ得る。
【００６４】
更に、障壁層のこのコーティングされた部分は、約１００〜約５０，０００ｇｓｍ／日、更に好ましくは約２００〜約２５，０００ｇｓｍ／日、より更に好ましくは約３００〜約１５，０００ｇｓｍ／日、もっと更に好ましくは約４００〜約１０，０００ｇｓｍ／日、及び最も好ましくは約５００〜約５，０００ｇｓｍ／日のＷＶＴＲを示すことが重要である。
【００６５】
これらの特徴が組み合わされる時、本明細書で記載された使い捨て合成物は、消費者が、体の滲出物封じ込め用通気性吸収性物品、保護ウェア、又は更に個人衛生ケアを探している時、望ましいとみなされる利益を提供する点で極めて有効であることが見出された。
【００６６】
好ましい実施形態において、本発明の合成物及び吸収性物品のコーティングされた第一領域は、好ましくは、約６０ｇｓｍ以下の、より好ましくは約４０ｇｓｍ以下の、更により好ましくは約２０ｇｓｍ以下の、及び最も好ましくは約７ｇｓｍ以下の動的液体衝撃値を有する。対照的に、第二領域は、好ましくは、約７０ｇｓｍよりも大きい動的液体衝撃値を有する。
【００６７】
他の好ましい実施形態において、コーティングされた第一領域は、以下に記載の水頭部圧力試験によって測定される障壁特性を示す。障壁コーティングでコーティングされた第一領域の水頭部値は、第二又は障壁コーティングが上に存在しない同じ構成要素のいずれの付加的な領域のよりも高くなるべきである。好ましくは、障壁コーティングされた第一領域と同じ構成要素の非コーティング第二領域との間の水頭部値のこの差は、少なくとも約１００Ｐａ（１ｍｂａｒ）、より好ましくは少なくとも約５００Ｐａ（５ｍｂａｒ）、及び更により好ましくは少なくとも約１０００Ｐａ（１０ｍｂａｒｓ）である。障壁コーティングは、好ましくは、障壁層のコーティングされた第一領域が、少なくとも約６０００Ｐａ（６０ｍｂａｒ）、好ましくは少なくとも約７０００Ｐａ（７０ｍｂａｒ）、より好ましくは少なくとも約８０００Ｐａ（８０ｍｂａｒ）、及び最も好ましくは少なくとも約９０００Ｐａ（９０ｍｂａｒ）の水頭部値を示すように、本発明の吸収性物品（吸収性コア及びどの組織層も除く）に対する総液体抵抗を付与する。
【００６８】
障壁層が更に繊維ウェブを含む場合、障壁層のコーティングされた第一領域の水頭部値に変化を及ぼし得る。そのような繊維ウェブ障壁層の水頭部値は、より細い繊維直径、より高い繊維密度、より高い坪量、又はそれらの組み合わせで増加し得る。障壁コーティングを上に配置できる好適な繊維ウェブは、通常少なくとも約２ｇｓｍ、好ましくは約５〜約１００ｇｓｍ、より好ましくは約１０〜約７５ｇｓｍ、及び最も好ましくは約１５〜約５５ｇｓｍの坪量を有する。
【００６９】
理論によって制限されないが、対流移送容量は、拡散移送容量と異なる。対流性（即ち、強制又は遊離）移送が、ガス又は気圧差によって駆動され、通常は、無作為分子運動により駆動される拡散移送よりかなり高い移送率である。拡散移送の典型的な例は、バックシート材料のような当該技術分野において既知の、ミクロ孔質フィルムの孔を通過する、又はハイトレル（Hytrel）（登録商標）（デラウェア州ウィルミントン（Wilmington）のデュポンから入手可能）から作製されるような非多孔性モノリシックフィルムの分子構造を通過する、水分移動を含む。一方で対流移送は、物品の内部と外部との間の気圧差により方向付けられる。局所圧力（即ち、物品と着用者との間の空間内の局所圧力）及び環境の圧力（即ち、物品外部）は実質的に同じであるが、局所圧力の小さな変化が、通常は着用者と物品との間のギャップを通る対流空気流を生じ得る。対流移送に至り得る要因は、限定はされないが、着用者の動き、局所と外部環境との間の小さな圧力及び／又は温度差などを含む。
【００７０】
吸収性物品に対してなされた進歩で、吸収性物品は、今や外部への流体の漏れを最小化にするために、着用者の体に対してよりぴったりとした密閉（即ちより少ないギャップ）を弾性材及び伸縮性構成要素を使って提供する。結果として、ギャップを通る対流性蒸気流量は実質的に低減され、物品と着用者との間の空間内に湿った及び熱い局所環境がもたらされる。吸収性コアは通常空気浸透可能であるが、空気透過率は、コアが液体を吸収する（即ち、積載される）時に通常は低減される。この空気透過率は、ミクロ孔質フィルムバックシートが物品に含まれる時、更に大きく影響される。積載されたコアには、通常通気手段により比較的容易に通気孔をつける（空気浸透可能にする）ことができる。別の方法としては、浸透可能な材料の特定の配置を選択することにより、コア構造の開口を実現できる。
【００７１】
これらの通気化又は開口−構造化コアは、通常ミクロ孔質フィルムバックシート又は流体不透性及び漏れ保護を提供する比較的厚い不織布である漏れ保護構成要素を一般に必要とする。しかしながら、これらの液体不浸透性構成要素は、そのような構成要素の対流空気透過性が実質上検出不可能であるという、全吸収性物品の空気透過性を劇的に低減してしまう傾向にある。対照的に本物品の障壁層は、層自体を通る、よっては全物品を通る対流性空気流を許容する。
【００７２】
通常、障壁層は、吸収性コアと外部カバーとの間に、好ましくは吸収性コアの衣類に面する側に隣接して配置される。ある実施形態において、障壁層は、更に例えばダスティング層として作用するコアの構成要素であり得る。障壁層は、単一構造の層であり得る。あるいは、層は、接合される又は動作可能なように互いに結合する材料の複数個の個々の領域を含む合成物構造であり得る。障壁層の個々の領域は、吸収性物品の必要性によって、同一の広がりを持つ又は同一の広がりを持たないことがあり得る。個々の領域は、当該技術分野において周知のような取り付け手段によって接合でされ得る。
【００７３】
例えば、領域は、接着剤の均一な連続層又は接着剤の分離線、螺旋、又は液滴若しくは小胞のアレイによって、互いに固められることができる。接着剤は、連続して又は断続的に付与されてよい。例えば、接着剤の各塗布は障壁層の長さに及び、選択された距離でそれぞれ分離される。組立てプロセス内でウェブを取り扱うために接着剤を塗布し、領域を互いに粘着させる。好ましくは、接着剤は、障壁層の表面部分に付与され、空気／蒸気浸透性のために十分な開口（即ち、接着剤フリー）表面積を残す。あるいは、液体不透性を変更するために接着剤を付与することができる。通常、開口又は接着剤−フリー表面積は、障壁層の総表面積の約５０％以上であり、好ましくは約７０％以上であり、より好ましくは約８０％以上であり、及び最も好ましくは約９０％よりも大きい。好適な接着剤は、ミネソタ州セントポールのＨ．Ｂ．フラー社（H.B. Fuller Company）により製造され、ＨＬ−１２５８として販売され、ウィスコンシン州ミルウォーキーのアトー−フィンドレー社（Ato-Findley Inc）により表記Ｈ２０３１Ｆで販売される。
【００７４】
あるいは、取り付け手段は、当該技術分野において既知のような熱ボンド、圧力接合、超音波接合、機械接合（例えば、もつれ、凝集力、電気又は静電気を介して）又はいずれかの他の好適な取り付け手段若しくはこれらの取り付け手段の組み合わせを含むことができる。
【００７５】
流体は主に吸収性コアにより吸収されるが、障壁層は、吸収性コアによって吸収されない又は吸収性コアから解放される逸れた液体に対する付加的漏れ保護を提供する。故に、コアに対する二次吸収又は封じ込め手段として作用させるために、本発明の吸収性物品に付加的吸収層を含んでもよいことが予見できる。
【００７６】
液体吸収性は、吸収性コアに使用される材料、吸収性のため試験される液体の表面張力、及び試験液体と材料との間の接触角に依存して変化し得る。
【００７７】
障壁層の厚さ及び坪量は、使用される材料、所望の特性、意図された使用、構造などに依存して変化し得る。例えば、厚さ及び／又は坪量は、拡散通気性及び／又は物品の内部と外部との間の対流性空気透過性、物品の吸収性及び／又は漏れ保護、物品の着用者の体への適合性、着用者への快適さ、及び通常構造の厚さに関する類似の効果に影響を与えることがあり得る。通常、吸収性物品の使用に対して意図される本発明の障壁層は、約１．５ｍｍ未満の、好ましくは約１．２ｍｍ未満の、より好ましくは約１．０ｍｍ未満の厚さを有する。吸収性物品の使用に適した障壁層の厚さは、約０．１ｍｍよりも大きい、好ましくは約０．２ｍｍよりも大きい最小厚さも有するべきである。本明細書に用いるのに好適な材料は、すべてファースト・クオリティ・ノンウォーブンズ社（First Quality Nonwovens,Inc（FQN））に譲渡された米国特許第６４１３３４４号、同６５２１５５５号及び同６４８８８０１号に開示される。とりわけ、ＦＱＷからの２０ｇｓｍメルトブロウンは、本明細書に用いるのに好ましい。
【００７８】
障壁コーティング及び、故に第一領域は、水、母乳、尿、経血、及び他の体の流体を含む液体に「実質的に不浸透性」である。用語「実質的に不浸透性」は、障壁コーティングが、液体浸透に対し抵抗性を示すが、必ずしも液体湿潤通流を除外しないことを意味する。換言すれば、液体が、衝撃力下、高印加圧力下、又は一定期間持続する（即ち、連続して印加される）圧力下のような、普通の着用状態下で障壁コーティングを通過し、貫流することが可能である。例えば、障壁層の第一領域が、通常侵襲時に液体で積載される吸収性コアの領域に隣接して配置される時、とりわけ液体荷重水準が高く及び／又は荷重された吸収性コアが、突発的な高衝撃力又は継続される力／圧力下にある時、湿潤通化に対する付加的な保護を提供する。
【００７９】
この付加された湿潤通気保護は、液体荷重水準が（女性用衛生製品に比べ）十分に高いことがありえ、突発的衝撃又は継続的圧力の確率（例えば、乳児又は失禁症状のある大人が倒れる、座る、転がる、眠る時）もまた高い、おむつ、トレーニングパンツ、プルオンおむつ、又は成人用失禁製品に特に有用である。現在請求されている吸収性物品及び合成物の障壁層は、吸収性コアが液体の噴出を被る時、有効性を提供する。障壁層コーティングにより提供される液体湿潤通気に対する抵抗性は、液体の噴出を一時的に低下させる役割をし、可能な限り液体を吸収性コアと障壁コーティングとの間の境界面に溜める。低下した流量及び溜めは、吸収性コアが液体を捕え、侵襲地点外のコアの他の領域に分配するための付加的な時間を提供する。結果として、吸収性コアは、総吸収能力を達成できる。
【００８０】
次の説明図を参照することにより、本発明の障壁層構成要素の機能をより明確に理解できる。図２は、本発明の物品の合成物の平面図を示す。障壁層１０は、障壁コーティング１２と一致する第一領域１４及びコーティングされていない第二領域１６を含む。前述議論で示したように、障壁コーティングされた第一領域は、通常、着用者の排泄物により最も侵襲される傾向にある（おむつ又は婦人用ケア製品の場合）領域内、又は水分に最も接触する傾向にある（他の使い捨て衣類の場合）領域内の障壁層上に配置される。
【００８１】
障壁層内の障壁コーティングの様々な配置が、図３に示される。図３では、多領域が形成されるように、第一領域１４が、障壁層内の第二領域に関連して縞模様である。図３では、障壁コーティング１２は、別個の縞模様の形（同様に円、楕円、四角、アニメのキャラクターなどのような代わりの形状又は不連続模様であり得る）で第一領域内に配置される。
【００８２】
本発明の好ましい実施形態において、少なくとも一部の障壁コーティングが、吸収性コアの衣類に面する側に隣接して位置される。一実施形態において、障壁コーティングは、吸収性コアの実質的に総部分を通して延長されてもよいし、又は障壁コーティングは、吸収性コアの部分へ延長する縞模様又はパッチであってもよい。他の実施形態において、障壁層は、吸収性コアの外部縁部を越えて、又は吸収性コアの中心部分の長さ及び幅を通してのみ延長できる。障壁コーティングが吸収性コアの少なくとも同じ長さ及び幅を有する構成は、非常に好ましい。更により好ましい実施形態は、着用者により最も侵襲される傾向のある（吸収性物品の場合）障壁層領域上の障壁コーティングを含む。
【００８３】
更に、障壁コーティングされた第一領域は、障壁層の総領域の少なくとも約５％の拡張を網羅できる。より好ましくは、障壁コーティングは、総領域の少なくとも約１５％上に配置される。更により好ましくは、障壁コーティングは、総領域の少なくとも約２５％上に配置される。しかしながら、最も好ましくは、障壁コーティングは、障壁層の総領域の少なくとも約５０％を覆う。
【００８４】
加えて、障壁コーティングで覆われる領域量に関係なく、勾配で横断方向、機械方向、又は双方にコーティングを付与することができる。同様に、障壁コーティングにより形成される模様は、縞模様、ドットなどを伴う上記のような形状で、層の幅又は長さに沿って連続的又は断続的であり得る。
【００８５】
所望の水頭部値又は「障壁様」特性を提供するために、障壁コーティングは、上に堆積される、障壁層の部分の孔の開口部を（総長さとは反対に）実質的に閉じる又はブロックする１以上の材料を含む。より詳細に、障壁コーティングは、（ホットメルト接着剤のような）熱可塑性材料、溶液、エマルション、分散性及びそれらの組み合わせから成る群から選択される１以上の材料を含む。例えば、好適な障壁コーティングは、微晶性ワックス、ステアリルベヘネート、スクロース脂肪酸、ポリイソブチレン、エチレンビニルアセテート、コポリマー樹脂、ポリエチレンワックス、脂肪族アルコール、スクロース脂肪酸エステル、ステアリルアルコール、１０７未満（好ましくは９０未満）のヨウ素価を有するスクロース硬化豆エステル、天然アルコールスチルボトム（still bottoms）、ワックスエステル（例えば、ソルビタンワックスエステル、脂肪酸−脂肪酸ワックスエステル、スクロースワックスエステル）、６０℃よりも大きい融点を伴うアルドル（aldol）縮合生成物、天然石油ワックス、潤滑油原紙、オゾケライトワックス、合成石油ワックス、蜜蝋、ステアリン酸、鯨蝋、カルナウバワックス、水素処理大豆オイル、非水素処理大豆オイル、コーンオイル、パームオイル、ココナッツオイル、ヒマシ油、亜麻仁油、べにばな染料オイル、ひまわりオイル、なたね油、シリコーン、キサンタンガム、アラビアゴム、セルロース、化学及び酵素−修飾化デンプン、ペトロラタム、ミネラルオイル、ビニルコポリマー、ビニル乳化剤、ソルビトール、プロピレングリコール、グリセリン、固体エステル、及びそれらの組み合わせから成る群から選択される材料を含む。より好ましくは、障壁コーティングは、微晶性ワックス、熱可塑性材料、ステアリルベヘネート、ステアリルアルコール、シリコーン、シリコーンワックス、及びそれらの組み合わせから成る群から選択される１以上の材料を含む。更により好ましくは、障壁コーティングは、微晶性ワックス、ホットメルト接着剤、及びそれらの組み合わせから成る群から選択される１以上の材料を含む。好適なホットメルト接着剤は、Ｈ．Ｂ．フラー（H.B. Fuller）のＨＬ−１２５８を含む。
【００８６】
障壁コーティングには、微晶性ワックスが最も好ましい。本発明で使用する好適なワックスは、Ｃ．Ｐ．ホール社（C.P. Hall Company）から市場で入手可能なマルチワックスＷ−８３５である。この材料は、飽和分枝状及び環状無極性炭化水素から成る高度に精練された、高分子量微晶性石油ワックスである。
【００８７】
ある実施形態において、コーティングされた第一領域の坪量が、約５〜約２００ｇｓｍ、更に好ましくは約１０〜約１００ｇｓｍ、更により好ましくは約１５〜約７５ｇｓｍ、及び最も好ましくは約２５〜約５０ｇｓｍの範囲であるように、そのような障壁コーティング材料が障壁層の第一領域上に配置されることが好ましい。
【００８８】
層自体が他の処理（例えば、プラズマ処理されたポリプロピレンウェブ、疎水性表面コーティングなど）で改質される時にさえ、障壁コーティングが、第一領域内の障壁層を湿潤することが望ましい。
【００８９】
滲出物増粘剤
本発明は、更に有効量の滲出物増粘剤１１を含む。滲出物増粘剤１１は、粘性を増加することを介してそのような流体の流れを制御することにより、吸収性物品内の遊離流体を管理することに有用である。滲出物増粘剤１１は、第一及び第二領域のいずれか又は双方内の障壁層の１以上の表面上に配置される。ある実施形態において、滲出物増粘剤を伴うこの障壁層は、コアと外部カバーとの間の物品内に位置する。他の実施形態において、滲出物増粘剤１１を、通常滲出物により侵襲を被る吸収性物品の他の構成要素上に配置できる。例えば、滲出物増粘剤１１は、捕捉層、吸収性コア、外部カバー、バックシート、１以上のレッグカフ、不織布ダスティング層、トップシート、それらの組み合わせから成る群から選択された構成要素内に配置され得る。大抵の場合において、増粘剤１１は、乾燥状の吸収性物品、例えばパウダー又は乾燥コーティング内に、増粘効果を顕著に提供するために有効な量で存在する。通常、有効量は、約１ｇｓｍ以上、約３ｇｓｍ以上、約４ｇｓｍ以上、又は約１ｇｓｍ〜約５０ｇｓｍ、約２ｇｓｍ〜約３０ｇｓｍ、若しくは２．５ｇｓｍ〜約２５ｇｓｍと解釈される。あるいは、増粘剤を、障壁層又は上記の付着率を産出する水溶液状の物品内の他の好適な基材上に配置し得る。通常、増粘剤１１が溶液に付与される時、溶液は、物品の着用者によりパッケージング及び使用に先立ち乾燥される。
【００９０】
滲出物増粘剤の分子量の増加が、一度増粘剤と接した滲出物の結果的な粘度の増加に対応することもまた見出された。更に、増粘剤の可溶化の程度の増加は、滲出物増粘剤の溶解度の増加と解釈される。この増加溶解度は、増粘剤が、より速く滲出物を溶解しゲル化可能であることを意味する。好適な滲出物増粘剤は、キサンタンガム、カルボキシメチルセルロース（ＣＭＣ）、粘土、デンプン、アルギネート、及びそれらの組み合わせから成る群から選択される。これらの増粘剤材料の好適な種類は、ヘラクレス−アクアロン（Hercules-Aqualon）からＣＭＣ９Ｈ４Ｆ又はＣＭＣ７Ｆとして市販のカルボキシメチルセルロース、アール・ティー・ヴァンダービルト（R.T. Vanderbilt）からヴァンゼン（Vanzan）ＮＦ−ＳＴ又はヴァンゼン（Vanzan）ＮＦとして入手可能なキサンタンガム、ステイリー（Staley）によりテンダー・ジェル４３４の名称で販売される食料等級デンプンを含む。出願者は、上で記載された量の特定の滲出物増粘剤の組み合わせが、有効なコスト効果のある結果を産出することを見出した。例えば、ＣＭＣを、水溶液内ＣＭＣのみの使用と対比して、顕著なコスト削減とともに滲出物の粘度の許容可能な増加を産出するために、キサンタンガム、粘土、又はデンプンと組み合わせてもよい。
【００９１】
他の構成要素
本明細書で開示された吸収性物品を最適化するために、それが１以上の以下に記載の特性を含んでいることを確かにすることが望ましい。
【００９２】
吸収性物品は、締着装置４０もまた含むことができる。締着装置４０は、好ましくは、吸収性物品を着用者上に留めるための吸収性物品の周囲に平面方向の伸張を備えるように、構成内で第一腰部区域３６及び第二腰部区域３８を維持する。締着装置は、あらゆる他の周知の締着手段が一般に許容可能であるが、好ましくは、テープ状ひもなどのファスナ、フック及びループ締着構成要素、タブ及びスロットなどのインターロックファスナ、バックル、ボタン、スナップ、並びに／又は雌雄同形締め構成要素を含む。いくつかの代表的な表面締着装置が、米国特許第３８４８５９４号、同４６６２８７５号、同４８４６８１５号、同４８９４０６０号、同４９４６５２７号、同５１５１０９２号、及び同５２２１２７４号に開示される。代表的なインターロック締着装置が、米国特許第６４３２０９８号に開示される。締着装置は、米国特許第４９６３１４０号に開示されたような、使い捨て構成内の物品を支えるための手段も備えることができる。締着装置は、米国特許第４，６９９，６２２号に開示されたような、又は米国特許第５２４２４３６号、同５２４２４３６号、同５４９９９７８号、同５５０７７３６号、及び同５５９１１５２号に開示されたような適合性を改善するための一次及び二次締着装置も含むことができる。
【００９３】
吸収性物品は、サイドパネルも含むことができる。サイドパネルは、更に快適な及び人体にぴったり合う適合性を備えるために、初期に形状相似しておむつを着用者に適合させること、及び弾性化サイドパネルがおむつのサイドの広がりと収縮を許容するので、おむつが滲出物で積載された後の着用時間中もこの適合性が申し分なく持続することにより、伸縮自在又は伸張可能であり得る。サイドパネル３０は、たとえおむつが１つの弾性化サイドパネルを使用中他方よりももっと引き寄せても、おむつは着用中「自己調節」されるので、おむつのより有効な適用も提供し得る。
【００９４】
本発明のおむつは、好ましくは第二腰部区域に配置されたサイドパネルを有するが、おむつは第一腰部区域又は第一腰部区域と第二腰部区域の双方に配置されるサイドパネルを備えてもよい。サイドパネル３０はいかなる好適な構成で作製されてもよい。弾性化サイドパネルを伴うおむつの実施例は、米国特許第４８５７０６７号、同４３８１７８１号、同４９３８７５３号、同５１５１０９２号、同５２２１２７４号、同５６６９８９７号、及び同６００４３０６号に開示される。
【００９５】
好ましい実施形態において、吸収性物品は少なくとも、液体及び他の体の滲出物の改善された封じ込めを提供する第一カフ、改善された適合性及び封じ込めを提供する弾性的ウエスト機構、及び吸収性物品を着用者上に維持するために吸収性物品の周囲で平面方向伸張が維持されるような重なり合う構成で第一腰部区域及び第二腰部区域を維持する側部囲いを形成する締着装置を更に含む。吸収性物品は、腰部区域内にあり、より快適で、体にぴったり合う適合性及びより吸収性物品の有効な付与を提供する弾性的延伸性特性を提供する弾性化サイドパネル（図示されず）も含むことができる。
【００９６】
弾性脚部カフ３２は、米国特許第３８６０００３号、同４６３６２０７号、同４６９５２７８号、同４７０４１１５号、同４７９５４５４号、同４９００３１７号、同４９０９８０３号（ＵＳＲＥ３４９２０で再発行）、同５０８５６５４号、同５４９２７５１号、同６４７６２８８号及びＳＩＲ  Ｈ１６３０に記載されるものを含む、数多くの異なる構成で作製されることが可能である。
【００９７】
例えば、吸収性物品は、液体及び他の体の滲出物の改善された封じ込めを提供する１つ以上の第一カフを含むことができる。第一カフは、外部レッグカフ、レッグバンド、サイドフラップ、レッグカフ、又は伸縮性カフとしても呼ばれ得る。米国特許第３８６０００３号は、サイドフラップを有する収縮性レッグ開口部及び弾性脚部カフを提供するための１以上の伸縮部材を備えた使い捨ておむつを記載する。
【００９８】
加えて、本発明の吸収性物品は、液体及び他の体の滲出物の改善された封じ込めも提供する１以上の第二カフを含む。第二カフは、バリアレッグカフ、内部レッグカフ又は「直立」弾性フラップとも呼ばれる。米国特許第４８０８１７８号及び同４９０９８０３号は、足領域の封じ込めを改善する「スタンドアップ」弾性フラップを有する使い捨ておむつを記載する。
【００９９】
第一カフ及び第二カフは双方とも、米国特許第４６９５２７８号及び同４７９５４５４号で例示されたような二重カフの方法で提供され得る。１９９７年１月７日に発布された、米国法令発明登録Ｈ１６３０に詳細に記述されるように、本発明の物品内に付加的なカフを備えることができる。
【０１００】
本発明の物品又は合成物に含むことができる他の構成要素は、同時係属米国仮出願シリアル番号第１１／０５５７４３（Ｐ＆Ｇケース９５２８Ｍ）に開示されるような、疎水性表面コーティングである。この疎水性表面コーティングを障壁層上の本発明の障壁コーティングと対にできる、又は本発明の吸収性物品又は合成物の１以上の付加的構成要素に隣接して配置できる。例えば、この疎水性表面コーティングを、１以上のレッグカフ、腰部分、又は吸収性物品の他の領域の内面上に配置できる。
【０１０１】
本発明の実施形態は、廃棄物を受け取り含有するポケット、廃棄物のための空隙を提供するスペーサー、物品内の廃棄物の動きを制限するための障壁、オムツ内に堆積された廃棄物材料を受け取り、含有する区画又は空隙など、又はそれらの組み合わせも含む。吸収製品に使用されるポケット及びスペーサーの実施例は、米国特許第５５１４１２１号、同５１７１２３６号、同５３９７３１８号、同５５４０６７１、同６１６８５８４号、同５３０６２６６号、同５９９７５２０号に記載される。区画又は空隙の実施例は、第４９６８３１２号、第４９９０１４７号、第５０６２８４０号、第５２６９７５５号に開示される。好適な横断方向障壁の実施例は、米国特許第５，５５４，１４２号、ＰＣＴ特許ＷＯ９４／１４３９５、及び米国特許第５６５３７０３号に記載される。低粘度糞便の管理に特に好適な他の構造の実施例は、米国特許第５９４１８６４号、同５９７７４３０号、及び同６０１３０６３号に開示される。
【０１０２】
「発明を実施するための最良の形態」で引用したすべての文献は、関連部分において本明細書に参考として組み込まれるが、どの文献の引用も、それが本発明に関する先行技術であるとの容認と解釈されるべきではない。
【０１０３】
試験方法
対流性空気透過率
対流性空気透過率は、空気の標準体積が、一定の圧力と温度で試験試料を通して吸い込まれる時間を測定することにより決められる。この試験は特に、不織布、有孔フィルムなどのような、ガスに対して比較的高い透過性を有する材料に適している。
【０１０４】
テクステスト（TexTest）ＦＸ３３００空気透過性試験機が使用される。試験方法は、ＡＳＴＭ  Ｄ７３７に準じる。試験は、通常約２３±２℃、約３０％±１５％の相対湿度の研究室環境内で行われる。試験片は少なくとも２時間調湿されなくてはならない。試験圧は１２５パスカル、試験面積は３８ｃｍ２である。この試験において、装置は、試料を横切る一定の示差的圧力を作り出し、試料を通して空気を引く。試料を通る空気流率が、ｃｆｍで測定される。各試料に対して、５回の反復が行われるべきであり、平均結果は、空気透過率値として報告される。
【０１０５】
静水頭部（水頭部）圧力テスト
水頭部圧力又は水頭部値は、物質の液体障壁特性（又は液体不透性の量である。特定して、本明細書で記載の試験は、水浸透が起こる時、材料が支える流体静力学的な圧力を測定する。
【０１０６】
テクステスト（TexTest）静水頭部試験機ＦＸ３０００（サウスカロライナ州スパータンバーグのアドバンスト・テスティング・インスツルメンツ社（Advanced Testing Instruments, Corp）から入手可能）が使用される。試験方法は、エダナ（Edana）１２０．１−１８（ＩＮＤＡＩＳＴ８０．６も）に準じる。このテストに対しては、徐々に増加する圧力が、水が試料を通過するまで、定義された試料部分に印加される。
【０１０７】
試験は、通常約２３℃±２℃（７３°Ｆ±２．０°Ｆ）及び約３０±１５％の相対湿度の研究室環境で行われる。試料は、試験の間、横漏れを防ぐために適切なガスケット材料（Ｏリング型）を使って、縦列固定器の上部上にクランプされる。バリア層の障壁コーティングされた第一領域の水頭部圧力を定めるために、障壁層の試料は、試験の間障壁層の障壁コーティングされた領域が水縦列に面するように向けられる。試料の水接触領域は、水縦列の断面積に等しく、２８ｃｍ２又は１００ｃｍ２に等しい。同様に、コーティングされていない第二領域の水頭部圧力は、試験の間水縦列に面するこの領域に向けることにより定められる。
【０１０８】
もう一方の例において、水は、３００Ｐａ／ｍｉｎ（３ｍｂａｒ／ｍｉｎ）又は６０００  Ｐａ／ｍｉｎ（６０ｍｂａｒ／ｍｉｎ）の圧力増加に達する割合で水縦列内にくみ上げられる。したがって、試料は、一表面上に定常的な増加水圧を被る。水浸透が、試料の他の表面上の３つの箇所に現れる時、第三浸透が起こる圧力が記録される。水が即座に試料を通過する（即ち、試料が抵抗性を与えない）場合、零指数が記録される。各材料に対して、５つの片が試験され、結果は平均され、ミリバールで報告される。
【０１０９】
動的液体衝撃値
試験方法の目的は、乳児が突然直立から座り姿勢へ移る時、乳児が飽和コア／バックシート構造に与える動的負荷／領域（エネルギー）を模倣することである。動的液体衝撃（ｇ／ｍ２）は、平均的な９ｋｇ（２０ｌｂ）の乳児が、直立姿勢からその上に「倒れる」場合に、飽和おむつに与える衝撃エネルギーを基に、計算される。乳児は、周知の質量及び長さの２つの強固なリンクとして擬似される。リンクは、静止状態から「倒れ」、衝撃領域はおむつ下の領域であるという理論がなされた。これは、０．００８７ｍ２（〜１３．５ｉｎ２）又は２３００Ｊ／ｍ２の平均乳児「座部」領域上で約２０ジュール（１４．７５ｆｔ−ｌｂ．）と算出される。この方法を導くために、動的液体衝撃試験機が必要とされる。この試験機は、図４に示される。
【０１１０】
試験設備及び補給品
１．底プレート２１４（３０５ｍｍ×３０５ｍｍスチールプレート、２５．５ｍｍ厚さ）、
２．中心に５ｍｍのピン２２０を伴う衝撃ディスク２１２（白ナイロンマックマスターカー（McMaster Carr）＃８５３８Ｋ３４）直径６１ｍｍ、厚さ１２．７ｍｍ）、
３．誘導チューブ２０４を挿入するための円形切り取り領域を含む、レクサン試料プレート２０６（１５３ｍｍ×１５３ｍｍレクサンプラスチックブロック、１９ｍｍ厚さ、
４．レクサンガイドチューブ２０４（厚さ３ｍｍ、内径６４ｍｍのレクサンプラスチックチューブ）、
５．衝撃重り２０９（３３７０ｇ±５ｇステンレススチールシリンダ、長さ１４９ｍｍ、及び中の垂直方向に自由に移動することを許容する、ガイドチューブ２０４よりも僅かに小さい直径）、
６．真空カップ２０８、
７．衝撃パッド２２２（シリコンゴムシート、５０Ａジュロ硬度、１５ｃｍ×１５ｃｍ×０．９ｃｍ（６”×６”×３／８”）厚さ、
８．濾紙（ワットマン＃４濾紙、１００４−０７０、７０ｍｍ直径、ＶＷＲカタログ＃２８４６０−０４１）、
９．濾紙を積載するために使用される液体（０．９％塩化ナトリウム溶液）、
１０．１０ｍＬプラスチック注射器又は同等物、
１１．スターレット定規（スターレット１５０ｍｍ定規、スターレット３００ｍｍ定規）、並びに
１２．制御材料（１２５ｍｍ×１２５ｍｍエクセールエクソン（Exxaire Exxon）ＸＢＦ１１０Ｗ）。
【０１１１】
部品１−７は、図４に示されるように組み立てられる。衝撃重り２０９の底と衝撃パッド２１２の底との間の距離は、４０ｍｍ±３．０ｍｍに設定される。
【０１１２】
この方法には、試験試料を通過する水分を記録するために、２つの濾紙を使用することに注意することが重要である。それは、濡れ媒質を移送するために５つの濾紙を重ねることも必要とする。
【０１１３】
２つの「受け側」濾紙は、±０．１ｍｇ以内に計量され、質量が記録される。５つの濾紙重ねは、±０．０１ｇ以内にのみ計量される必要がある。
【０１１４】
試験工程
１．２片の７０ｍｍ直径濾紙を０．０００１グラムの精度の秤の上に置く。約１分後又は秤指数が安定する時、濾紙の質量を記録する。  
２．５片の７０ｍｍ直径濾紙を０．０１グラムの精度の秤の上に置く。「乾燥」質量が１．７２ｇ±０．１０ｇであることを確かめる。  
３．衝撃重量の最底部分をベースプレートの上部から２９０ｍｍ±２ｍｍの高さまで上げる。  
４．レクサン試料プレートを取り除き、ベースプレート上の中心に置かれる衝撃パッド上に５片の濾紙を中心に持ってくる。  
５．２個のタイマーを設定し、一方を２分間に設定し、他方を３分間に設定する。衝撃重りが上がった時、２分間タイマーが合図を送る。２つの濾紙の最終重量が記録された時、３分間タイマーが合図を送る。  
６．２．０ｍＬ（±０．０５ｍＬ）の０．９％ＮａＣｌ溶液を較正された注射器の中に入れる。そのＮａＣｌ溶液を５片の濾紙に塗布する。  
７．１２５ｍｍ×１２５ｍｍ区画の試験材料を飽和濾紙上に置き、濡れた状態の濾紙が「重ね」位置にあることを確認する。吸収性物品の外部にある材料の側面が、上を向いている必要がある。（注意：テスト材料を湿潤状態の濾紙上に置き、衝撃重りを放す間の時間が最小になるようにしなければならない。全ての活動が、即ち、タイマーの設定、濾紙の計量が終わっていることを確認する。）
８．レクサン試料プレートを試験材料上に置き、一方で中に含まれる開口が衝撃重りに一直線になるように確保する。
９．ピンセット／挟みを使い、２片の受け側の計量された濾紙を試験材料の上に置く。
１０．衝撃重りを放し、両タイマーを開始する。  
１１．タイマーが２分間を合図する時、衝撃重りを上げ、留める。  
１２．直ちに（ピンセット／挟みを使い）２片の濾紙を０．０００１ｇの精度の秤に移す。
１３．タイマーが３分を合図する時、濾紙質量を０．０００１ｇ単位で記録する。  
１４．レクサン試料プレート、試験材料及び湿潤状態の濾紙をＬＩＴから取り除く。ゴムパッドとレクサン試料プレートをバウンティタオル（又は同等品）で乾燥させる。次の試験のために工程１−２及び５−１４を繰り返す。
【０１１５】
動流体衝撃値の計算
「動」液体衝撃値＝フィルター重量変化（グラム）／衝撃領域（ｍ２）
衝撃領域＝０．００２９３２ｍ２
試料の計算：
【表１】
2007536066.tif 000003
０．０３５０ｇ／０．００２９３２ｍ２＝１１．９３７２ｇ／ｍ２（又はｇｓｍ）
【０１１６】
水蒸気透湿度
水蒸気透湿度は、水蒸気が可撓性障壁材料を通流する、測定度合いである。それ故に、不織布及プラスチック障壁を通過する５００〜１００，０００ｇｓｍ／日の水蒸気透湿度に対する標準試験方法である、ＩＮＤＡＩＳＴ７０．４（０１）が、全ての吸収性物品の厚さのＷＶＴＲを決定するために使用される。
【実施例】
【０１１７】
（実施例１）
本発明で使用される合成物が準備される。  
微結晶蝋障壁コーティング（Ｃ．Ｐ．ホール社（C.P. Hall Company）から商標名ウィトコ（Witco）Ｗ−８３５で市販）が、ノードソン（Nordson）ホットメルトスロット塗布機を使い、３３ｇｓｍの付加率で、１４２ｍｍ×１３２ｍｍの寸法のファースト・クオリティ・ノンウォーブンズ社（First Quality Nonwovens,Inc）からの２０ｇｓｍのメルトブロウンに付与される。このコーティングは、障壁層の約２５％の領域を覆う層の幅に渡って延展される。加えて、滲出物増粘剤が、障壁コーティングの上部に付与される。この増粘剤は、カルボキシメチルセルロース（ＣＭＣ  ９Ｈ４Ｆ又はＣＭＣ  ７Ｆとしてヘラクレス−アクアロン（Hercules-Aqualon）から市販）、キサンタンガム（ヴァンザン（Vanzan）ＮＦ−Ｓ又はヴァンザン（Vanzan）ＮＦとしてアール・ティー・ヴァンデルビルト（R.T. Vanderbilt）から市販）、食品等級デンプン（ステイリー（Staley）からテンダー・ジェル（Tender-Jel）４３４）から選択される１以上の材料を含む。増粘剤は、５ｇｓｍ、１０ｇｓｍ、１５ｇｓｍ、又は２０ｇｓｍの量で障壁層に付与される。
【０１１８】
（実施例２）
本発明に従う合成物が準備される。  
実施例１の合成物は改質され、更に疎水性表面コーティングを含み、前記コーティングは、蝋障壁コーティングの付加に先立ち、メルトブロウンに加えられる。この疎水性表面コーティングは、（遷移金属触媒を含む）約０．１ｇｓｍの水性シリコーン混合物を、キスロールを介して少なくとも第一領域内のメルトブロウン上に堆積するために、ビニル基ポリジメチルシロキサンとメチル水素ポリジメチルシロキサンの３０：１比の水性混合物である。メルトブロウン障壁層は、１２０℃で１〜３分間乾燥される。その後、障壁コーティングと実施例１の滲出物増粘剤は、上記のように用いられる。
【０１１９】
（実施例３）
本発明に従う吸収性物品が準備される。  
多片おむつは、吸収性コアよりも長く幅広い障壁コーティングを伴う障壁層で構成され、ガスケットレッグカフ部分まで延長され、吸収性コアの各縁部を１０ｍｍ越える。例１又は２の合成物は、吸収性コアとおむつ内のコアに接する障壁コーティングを伴う外部カバーとの間に位置し、それは、米国特許第３８６０００３号、同４６３６２０７号、同４６９５２７８号、同４７０４１１５号、同４７９５４５４号、同４９００３１７号、同４９０９８０３号（ＵＳＲＥ３４２０として再発行）、同５０８５６５４号、同５４９２７５１号、同６４７６２８８号、同６６２７７８７号、同５５０７７６０号、同５６０９５８７号、同５６３５１９１号、同５６４３５８８号、同６１１８０４１号及びＳＩＲＨ１６３０のいずれか１つに詳細に記載されている。
【０１２０】
（実施例４）
本発明の吸収性物品が準備される。  
実施例１又は２の合成物は改質され、実施例３で詳細に準備されたおむつの外部カバーに面する表面上に２２ｇｓｍのインターレーク組織（吸収層）を含む。
【０１２１】
（実施例５）
本発明のプルオン型吸収性物品が準備される。  
米国特許第５２４６４３３号、同５７６９８３８号、同５８９９８９５号、同５８９９８９６号及び同６１２０４８７号のいずれか１つに詳細に記載されたようなプルオン型吸収性物品が改質され、実施例１又は２の合成物を含む。
【０１２２】
（実施例６）
本発明のプルオン吸収性物品が準備される。  
実施例１又は２の合成物が改質され、実施例５のプルオン物品の外部カバーに面して位置する合成物の表面上に２２ｇｓｍのインターレーク組織（吸収層）を含む。
【０１２３】
「発明を実施するための最良の形態」で引用したすべての文献は、関連部分において本明細書に参考として組み込まれるが、どの文献の引用も、それが本発明に関する先行技術であるとの容認と解釈されるべきではない。
【０１２４】
本発明の特定の実施形態について説明し記載したが、本発明の精神及び範囲から逸脱することなく他の様々な変更及び修正が可能であることが当業者には自明である。したがって、本発明の範囲内にあるこのようなすべての変更及び修正を、添付の特許請求の範囲内で扱うことが意図される。
【図面の簡単な説明】
【０１２５】
【図１】障壁層を含む本発明の吸収性物品の部分的に解体された平面図。
【図２】本発明の合成物の平面図。
【図３】本発明の縞模様の障壁をコーティングされた合成物の平面図。
【図４】本発明に関して使用される動的液体衝撃試験機の正面図。
【図１】
2007536066.tif 000004
【図２】
2007536066.tif 000005
【図３】
2007536066.tif 000006
【図４】
2007536066.tif 000007
【国際調査報告】
2007536066.tif 000008
2007536066.tif 000009
2007536066.tif 000010